(57)【要約】      （修正有）【課題】ゴルフのキャディバッグの高さのある口枠部に引き手部を設けて傾けて走行移動させることができるキャディバッグを提供する。【解決手段】キャディバッグにおけるメイングリップ１９の反対側になる口枠部８の側面に、水平方向の握り部２８Ｂ−２を備えた硬質材からなる引き手部２８を可動に或は固定して設けた。引き手部２８は、所定の長さを有し、所定の角度範囲を可動とし、所定傾斜角度で停止位置を決めることができるように構成する。【選択図】図７
0003149795.tif 000002
【実用新案登録請求の範囲】
【請求項１】
キャディバッグのメイングリップの反対側になる口枠部の側面に、水平方向の握り部を備えた硬質材からなる引き手部を可動に或は固定して設けたことを特徴とするキャディバッグ。
【請求項２】
底部にキャスターを設けるとともにそのキャスターの取付け側に背面側収納部が設けられたキャスター付きのキャディバッグにおいて、キャスターの取付け側の上方で口枠部の側面に引き手部を可動に或は固定して設けたことを特徴とするキャディバッグ。
【請求項３】
口枠部の側面に設けられた引き手部は、握り部と支持杆とからなる平面視で略Ｕ状の形状で、口枠部に固定された支持杆差し込み受け部に上下方向へ回動自在に軸支されたことを特徴とする請求項１〜請求項２のいずれかに記載のキャディバッグ。
【請求項４】
口枠部の側面に設けられた引き手部は、支持杆が伸縮自在に構成されたことを特徴とする請求項１〜請求項３のいずれかに記載のキャディバッグ。
【請求項５】
口枠部の側面に設けられた引き手部は、支持杆差し込み受け部に支持杆を隙間を設けて上下方向への回動時の摩擦負荷を軽減して軸支するとともに、支持杆に段差調整突起を設けて、立ち起こしたときに、前記支持杆差し込み受け部に段差調整突起が当接して可動限界を形成したことを特徴とする請求項１〜請求項４のいずれかに記載のキャディバッグ。
【請求項６】
口枠部の側面に設けられた引き手部は、立ち起こしたときに、その取付け位置の水平方向から上方へ９０度の範囲のなかに位置することを特徴とする請求項１〜請求項５のいずれかに記載のキャディバッグ。
【請求項７】
口枠部の側面に設けられた引き手部は、その取付け位置の水平方向から好ましくは上方へ２０度〜４５度の範囲のなかに停止することを特徴とする請求項１〜請求項６のいずれかに記載のキャディバッグ。
【請求項８】
キャディバッグにおいて、フード本体に、口枠部側面の引き手部が露出する切欠きを設け、フードを取付けた状態で前記切欠きから引き手部を立ち起こせることを特徴とする請求項１〜請求項７のいずれかに記載のキャディバッグ。
【考案の詳細な説明】
【技術分野】
【０００１】
本考案は、ゴルフクラブ及びゴルフ用品を収納するキャディバッグに関し，特に独特な引き手部を備えたキャディバッグに関する。
【背景技術】
【０００２】
男性用女性用やサイズにもよるが、携帯するゴルフ用品は相当な重量になる。
図１や図２に示すようなメインの円筒形収納部（４）に入れるゴルフクラブフルセットには、ドライバークラブ（１３）、ロングアイアンクラブ（１４）、ショートアイアンクラブ（１５）、正面側収納部（２）に入れる使用ボール、予備ボール、ティー等やその他用品（１６）、背面側収納部（３）に入れることが多いシューズやシューズ袋（１７）、レインウエアー（１８）等を収納したキャディバッグは、重量が十数キロにもなる。
【０００３】
図１は、出願人開発の従来型のキャディバッグで、持ち運びのための手掛かりとして、メイングリップ（７）を設け、メイングリップ（７）の上下方に設けられるリングに掛ける図示していないショルダーベルトを設け、背面側収納部（３）の上方に縫着した把持テープ（１９）を設けたものである。
この種のキャディバッグは、ショルダーベルトで担いで移動するが、少しの移動では図１８（図１８には把持テープはないが）のように正面のメイングリップ（７）を握り、キャディバッグを持ち上げて移動させる。
把持テープ（１９）は、タオル等の掛け具として使用することが多く、バッグが軽量の場合にはメイングリップ（７）を持ち上げるときに支えるかたちで使用することはできる。
【０００４】
図２は、従来型のキャスター付キャディバッグとその使用状態図である。
キャディバッグ底にキャスターが付いたモデル（図２−ａ）は、牽引手段として、伸縮式の握り部（２５）が設けられ、握り部（２５）を延ばし、キャディバッグを傾斜させて、握り部（２５）を引いて用いることで、比較的楽に移動させる事が出来る。
キャディバッグに付いたキャスター機能を使うと（図２−ｂ）のような引っ張りスタイルになる。
【０００５】
キャスター付キャディバッグの使用法は、まず、伸縮式の握り部（２５）を握り、握り部（２５）を引っ張り上げて支持杆収納筒部（２３）から支持杆（２４）を引き出し延ばし、キャディバッグ本体（１）を傾けて牽引して移動する。
また、そのキャディバッグを少し移動させる時等は、図１８のように正面のメイングリップ（７）を握りキャディバッグを持ち上げて移動させる。
【０００６】
従来、ゴルフバック、キャディバッグに関する技術文献は多数知見できるが、キャディバッグ等の引き手部分に関する開発は多くはなく、キャスター付のゴルフバッグでは、以下の公報例（特許文献１参照。）のように、メイングリップ（７）と伸縮式の握り部（２５）の構造が多い。
【０００７】
【特許文献１】特許３１７９７７４号公報「ゴルフバッグ」
【特許文献２】実公昭５０−０２１４８８号公報「キャスター付きゴルフバッグ」
【考案の開示】
【考案が解決しようとする課題】
【０００８】
しかし、上記のような伸縮式の握り部（２５）の構造は、支持杆収納筒部（２３）や支持杆（２４）等の牽引構造の大半が背面側収納部（３）に収納されているため、背面側収納部（３）自体の空間が使われて、ゴルフ関連用具を収納するスペースが縮小されてしまう。
【０００９】
また、従来、ゴルフバッグの伸縮式の握り部（２５）は、メイングリップ（７）の反対側ではあるが背面側収納部（３）の中でバッグの側面に設けられていて、しかも引き出す握り部（２５）の支持杆収納筒部（２３）や支持杆（２４）は地面に対して垂直に配設されている。
しかしながらこの構造によると、握り部（２５）がバッグ本体の開口部に密接または近接することになり、バッグを立ててゴルフクラブをバッグから抜き出す際に、握り部（２５）や延伸した支持杆（２４）にクラブヘッドやクラブのグリップ部分が接触して、接触して手を痛めたり、ゴルフヘッドが傷ついたりする不具合がある。
又、バッグ本体をキャリー側に傾斜させて移動させる際、延ばした握り部（２５）が、垂直に突出するために、バッグ本体に収容したゴルフクラブのヘッド部分が揺れて、握る手に当たってしまうこともある。
そして、もともと、メイングリップ（７）と伸縮式の握り部（２５）とは用法上無関係に作られ、両者を左右の手で一緒に持って、キャディバッグを持ち上げるという動作は想定していない。
伸縮式の握り部（２５）は、短縮時は不使用時であるので握ることができない程にバッグに接触して縮められ、伸張時は引き手の使用時で高い位置に位置するので、メイングリップ（７）と伸縮式の握り部（２５）との両者を左右の手で一緒に持ってキャディバッグを持ち上げる動作はできないものであった。
【００１０】
このように移動に用いる牽引手段は、従来機能では、延ばして引っ張る機能だけで、キャディバッグの背面側収納部（３）に設置されており、それら牽引手段構造（２３）（２４）（２５）等はキャディバッグ本体（１）と支持杆取付け部（２２ａ）（２２ｂ）により金属のビスやカシメ金具等によってシッカリと接合されている。
【００１１】
このキャディバッグの背面側収納部（３）に取付けられた牽引手段の機能を使う為には、背袋表生地（２７）に支持杆用貫通孔（２６）のような細工を施して支持杆（２４）がその貫通孔（２６）や特別なスリット等から出し入れ出来るように作らなければならず、コスト的にも製造作業工程上も負担が増える事になっていた。
【００１２】
また、支持杆部材（２２ａ）（２２ｂ）（２３）は背面側収納部（３）の収納容積に占める割合が大きく図１に示すスタイルのキャディバッグのように収納容積を確保出来ないので、上述の背面側収納部（３）に入れる事が多いシューズやレインウエアー（１８）等を収納出来ない容積になりかねない。
【００１３】
かりに無理をして支持杆取付け部（２２ａ）（２２ｂ）と支持杆収納筒部（２３）の間に収納しようとするとそのスペースの狭さから、かなり使い勝手の悪いものになり不自由する事になる。
【００１４】
さらに、キャディバッグを少し移動させる時等は正面のメイングリップ（７）を持ち図１８のように移動させるが、メイングリップ（７）を持ちキャディバッグを持ち上げると重心が上にあるキャディバッグはその上部が一気に図中（★）方向に動くので非力な人間はバランスを崩し易く、腕への負担も大きい。
【００１５】
又前述のように、出願人は、キャディバッグに、図１のように、背面側収納部（３）の上端に把持テープ（１９）を縫着したものを開発している。
把持テープ（１９）は、タオル掛けなどの主用途であるが、キャディバッグを持ち上げるときには、補助的手がかりとなる。
この把持テープ（１９）は、その作りが布生地を縫製してテープにして仕上げた物で、かつ背面側収納部（３）の上端縁に縫着された短いかたちである。
その為に付け位置から伸びたループ状の把持テープ（１９）は、手掛かりにはなるが柔らかく握っても上方以外には力が伝わり難い構造である。
取付けてはいるが、上方以外の方向ではそこを持ったときに手の甲や爪先等の手の部位がキャディバッグに接触してしまい、把持テープ（１９）構造では握り取手の機能は力の入れる方向に限定があった。
【００１６】
そこで本考案は、キャディバッグにおける牽引手段の不具合を解消すべく、牽引手段を改良し、キャスター牽引機能を確保し、かつ、背面側収納部の収納容積を充分に備えたキャディバッグの開発を課題とした。
さらにキャスター付き以外のキャディバッグも含めて少しの移動でも比較的楽に持ち上げられる簡便な構成の引き手部を備えたキャディバッグの開発を課題とした。
【００１７】
本考案が解決しようとする具体的課題は、以下の通りである。
（１）キャディバッグにおいて、バッグを傾斜させた状態で牽引機能を有するより簡易な引き手部を案出し、コンパクトな構成とすることを課題とする。
（２）引き手部を備えた構成のキャスター付キャディバッグにおいて、牽引機能を有する引き手部を設けても、背面側収納部の収納スペースを十分に確保する構成であることを課題とする。
（３）キャディバッグを上方及び斜めへ持ち上げる多方向に機能する取手を工夫し、安定して持ち運びを可能とし、構造的にも耐久性のあるシンプルな構造の引き手部の開発を課題とする。
（４）バッグを傾けて走行移動させる際に、バッグ本体に収容したクラブのヘッドが手に当たって、バッグの走行移動が行いにくくなり、あるいはヘッドが引き手部に接触して、ヘッドが傷ついたりすることがないようにして、安全性の高い構造とする。
（５）走行させるときバッグが左右に揺れない引き手部を開発する。
【００１８】
このように本考案は、ショルダーベルト吊り下げ型キャディバッグやキャスター付きキャディバッグにおいて、収納スペースを十分確保する構成で、重量のあるキャディバッグに特有な持ち上げ動作や引っ張り動作に適するコンパクトな引き手部を開発するものである。
【課題を解決するための手段】
【００１９】
ここに本考案はキャディバッグにおけるメイングリップの反対側になる口枠部の側面に、水平方向の握り部を備えた硬質材からなる引き手部を可動に或は固定して設けたことを特徴とするキャディバッグを提案する。
口枠部は、一見目立つ個所であり、かつ堅牢な口枠部に引き手部を設けることは、デザイン的に又接合構造的に課題が多いためか、口枠部の側面に引き手部を設けた前例はない。
【００２０】
底部の一辺側にキャスターを設け、そのキャスターの取付け側に背面側収納部が設けられたキャスター付きのキャディバッグにおいては、キャスターの取付け側の上方で口枠部の側面に引き手部を設けたキャディバッグを提案する。
キャスターの取付け側の上方で口枠部の側面という位置に設けた特徴があり、背面側収納部（３）はそのままで、従来の図２ような伸縮式の握り部（２５）は装置されていない。
【００２１】
その口枠部の側面に設けられた引き手部は、握り部と支持杆とからなる平面視で略Ｕ状の形状で、口枠部に固定された支持杆差し込み受け部に上下方向へ回動自在に（＝縦方向へ回動するように可動に）軸支されている。
引き手部は、折れて収納され、立ち起こして使用される。
口枠部に固定された支持杆差し込み受け部の構造的意味は、口枠部の表面に取付けられている構造や、口枠部に凹室を形成してその内部に取付ける構造も含む。
口枠部の側面に設けられた引き手部は、支持杆が伸縮自在に構成することもできる。短く収納して長くして使用する構成になる。
【００２２】
口枠部の側面に設けられた引き手部は、支持杆差し込み受け部に支持杆を隙間を設けて上下方向への回動時の摩擦負荷を軽減して軸支するとともに、支持杆の中途に平坦な面を形成した段差調整突起を設けて、引き手部を立ち起こしたときに、前記支持杆差し込み受け部に段差調整突起が面接触（当接）して、破損防止と可動限界を形成している。
【００２３】
引き手部は、立ち起こしたときに、その取付け位置の水平方向から上方へ９０度の回動範囲のなかに位置（停止）するように設けられる。
停止位置は、支持杆差し込み受け部に軸支点より突き出た支持杆差し込み受け部を設け、引き手部の支持杆を差込んで軸支して回動範囲を決めることができる。
取付け位置の水平方向から上方へ９０度の回動範囲には、好ましくは、取付け位置の水平方向から２０度〜４５度位の上方で止まるような可動限界を設定する。
【００２４】
引き手部は、その支持杆を支持杆差し込み受け部に可動に軸支されて、口枠部の側面の垂直方向に１８０度回動する構成が提案できるが、立ち起こしての使用状態を重視すれば、引き手部は、少なくとも口枠部の側面の取付位置から水平方向から上に回動して垂直方向位置までの９０度の角度範囲のうちのいずかに位置停止できることが特徴のひとつである。
【００２５】
この構成の引き手部は、口枠部の側面に位置するので、フード本体に口枠部側面の引き手部が露出する切欠きを設け、フードを取付けた状態で前記フードの切欠きから引き手部を立ち起こせるようにしている。
【００２６】
合成樹脂等の硬質材で作成された引き手部が、メイングリップの反対側の口枠部に設けられ、その位置はバッグの上方に位置するのでワンタッチで立ち起こしやすく、握りやすく、その引き手部をもってキャディバッグを傾斜させることもでき、その状態で引き手として使用することもできる。
【００２７】
キャスター付きキャディバッグは傾斜させると自然とキャスターが接地し、かつ引き手部は所定傾斜角度で停止し、引き手部を握ってもゴルフクラブヘッドに当たることなく、移動することができる。
【考案の効果】
【００２８】
前記課題を解決するため、本考案は前記の構成を案出したものであり、次の技術的効果がある。
引き手部がコンパクトで堅固に水平方向の握り部として取り付けられ、背面側収納部の収納スペースを使用することもなく、ゴルフクラブとの接触がない傾斜で上方に引き出せる。
【００２９】
キャスター付きキャディバッグにおいてその牽引構造部材が背袋内部に配置されていないので従来型の（図２−ａ）のような容積不足形態には成らず、キャスターのないキャディバッグ（図１）のように、キャスター付きキャディバッグでありながら背袋収納機能を十分に確保出来る。
ゴルフ用品の収納スペースを十分に確保でき、従来のものよりシンプルな構造としているので製品を廉価に製造可能である。
【００３０】
また、牽引して移動させるまでもない短い移動は、従来型では（図１８）のようにメイングリップ（７）を握り、キャディバッグ本体（１）を持ち上げての移動になるが、重量が重いキャディバッグにおいては、その最も重い上部が（★）方向に急激に下がって来て腕にかかる負荷も大きくなり、非力な人間ではバランスを崩して、負担が大きい場合があるが、本考案の引き手部を利用すると（図１９）のようにメイングリップ（７）を握り、背面側口枠部（８）に取付けてある口枠部取付け式の引き手部（２８）に手を添えて持ち上げる事で、ほぼ同じ状態での位置移動が可能で、なおかつ口枠部取付け式引き手部（２８）が樹脂製の堅固な物なので安定して移動させる事が出来る。
【００３１】
引き手部は、キャディバッグの上方にあって、硬質材製の比較的短い支持杆と幅のあまり広くない握り部であるので、握る力にロスがなく、移動中でも横ぶれも少なく、バッグが左右にぶれることもない。
引き手部にクラブのヘッドやグリップが接触しないのでクラブを損傷することも無い。
【考案を実施するための最良の形態】
【００３２】
本考案を実施するための最良の形態を説明する。
本考案は、メイングリップを有するキャディバッグ或いは底部にキャスターを設けるとともにそのキャスターの取付け側に背面側収納部が設けられたキャスター付きのキャディバッグにおいて、メイングリップの反対側になり、キャスターの取付け側の上方で口枠部の側面に、水平方向の握り部を備えた硬質材からなる引き手部を可動に或は固定して設けたことを特徴とするキャディバッグであり、以下の実施例１、実施例２，  実施例３で最良の形態を説明する。
【実施例１】
【００３３】
実施例１は、図３、図４、図６、図７、図１１〜図１５、図１７、図１９に示すキャディバッグ（１）で、口枠部（８）の側面に、水平方向の握り部（２８Ｂ−２）を備えた合成樹脂製の硬質材からなる引き手部（２８）を可動に設けたキャディバッグである。
従前同様に、正面側収納部（２）、背面側収納部（３）、円筒形収納部（４）、を備え、メイングリップ（７）を設け、底巻き（５）で樹脂製底材（６）を貼った底部（２０）にキャスター（２１）を設けている。
又、着脱自在のフード（１０）を備えているが、フード（１０）には、フードマチ（１１）の側面に引き手部用切り欠き（１２）を設けている。
引き手部用切り欠き（１２）は、立ち起こした引き手部（２８）をもって牽引動作するときに支障がない程度の大きさである。実施例１では引き手部（２８）と相似形のＵ状としている。
【００３４】
実施例１は、図３、図４のように、メイングリップ（７）を有するキャディバッグ（１）で、底部（２０）にキャスター（２１）を設けるとともにそのキャスター（２１）の取付け側に背面側収納部（３）を設けたキャスター付きのキャディバッグ（１）において、メイングリップ（７）の反対側になり、キャスター（２１）の取付け側の上方で、口枠部（８）の側面に、水平方向の握り部（２８Ｂ-２）を備えた硬質材からなる引き手部（２８）を可動に設けたものである。
【００３５】
牽引機能の引き手部（２８）を口枠部（８）に付けたことを特徴とするが、口枠部（８）とは口枠トップ（９）から口枠ハチマキ（３３）を含む迄の間の周面全部（前後左右）を指す。
バッグのデザインによっては口枠ハチマキ（３３）が無い物も有るがその場合は口枠最上部から口枠部（８）本体の下端迄を指す。
この口枠部（８）の前記所定の位置に引き手部（２８）を設けたことで、キャディバッグの移動動作を極めて楽にすることができる。
又、背面側収納部（３）内部には牽引装置はないので、背袋収納空間が確保されているキャスター付きキャディバッグになる。
【００３６】
引き手部（２８）は、大きく分けて取付け部（図１１〜図１３）と引き手部（図１４）の２つのパーツから構成されている。
取付け部（２８Ａ−１）は、口枠部（８）曲面にフィットする背面形状で、口枠部（８）に固定する取付け用穴（２８Ａ−２）を４個所設けた左右対称の軸受基台であり、中間にロゴ取付け溝（２８Ａ−６）を設け、左右に支持杆差し込み受け部（２８Ａ−４）を設け、この支持杆差し込み受け部（２８Ａ−４）を横に貫通する接合孔（２８Ａ−３）を設けた構造である。
図１６中、支持杆差し込み受け部の断面（２８Ａ−５）は、支持杆差し込み受け部（２８Ａ−４）が後述する引き手部（２８）の左右の支持杆（２８Ｂ−１）を差し込んで可動部接合ビス（３０）で軸支し、支持杆（２８Ｂ−１）の可動角度を制限する庇状部を有する肉厚頑丈な構造であることを示している。
口枠部（８）の側面に固設された取付け部（２８Ａ−１）の支持杆差し込み受け部（２８Ａ−４）に取り付けられる引き手部（２８）は、略Ｕ状の握り部（２８Ｂ−２）と支持杆（２８Ｂ−１）とからなり、支持杆（２８Ｂ−１）の端部に可動部接合孔（２８Ｂ−３）を備えている。
可動部接合孔（２８Ｂ−３）は可動部接合ビス（３０）で留められ、上下方向へ回動自在に軸支される。
支持杆（２８Ｂ−１）の差し込まれた上部には段差調整突起（２８Ｂ−４）が設けられている。
【００３７】
取付け部（図１１〜図１３）と引き手部（図１４）の２つのパーツ素材はそれぞれ合成樹脂と言われる硬質材であるプラスチック材等で出来ており、取付け部（２８Ａ−１）は、取付け用穴（２８Ａ−２）を使って本体取付けビス（２９）によりキャディバッグの口枠部（８）に固定接続されている。
【００３８】
図１１〜図１３に示す取付け部（２８Ａ−１）と図１４に示す引き手部（２８）の接合には取付け部側の支持杆差し込み受け部（２８Ａ−４）に引き手部（２８）の支持杆（２８Ｂ−１）を差込み、それぞれのビス用の穴（２８Ａ−３）と（２８Ｂ−３）を使って、可動部接合ビス（３０）で繋がれている。
【００３９】
可動部接合ビス（３０）は取付け部（２８Ａ−１）と引き手部（２８）の支持杆（２８Ｂ−１）を繋ぐ為の金具ビス（軸支）であり、固定する為の物では無いので使用に際して、この可動部接合ビス（３０）を軸として引き手部（２８）は上下に回動自在に軸支される。
【００４０】
上記の可動状況は、図１５、図１６、図１７のようになる。
図１５は口枠部取付け式の引き手部（２８）を側面図で図示しており、取付け部（２８Ａ−１）の可動接合ビス（３０）を軸として支持杆（２８Ｂ−１）が上下方向に回動している様を示している。
【００４１】
引き手部（２８）を可動式にする理由は、プロゴルファーを除いて、通常のゴルファーは１ラウンド距離にして１０キロメートル程あるゴルフ場を、１０数キロにもなるキャディバッグを担いでのラウンドはせずに、ゴルフカートと呼ばれる車輪付きの専用の貨車に載せ、キャディバッグを固定してラウンドするので、引き手部（２８）を使用する頻度よりは、折畳んだ状態のときが通常多いので、突き出たままでも差し支えはないが、可動式（折畳式）がより好ましいからである。
【００４２】
例えばキャディバッグ（１）をゴルフカートに積載する時に、引き手部（２８）が張り出していると少し邪魔になるので、伸縮や上下に回動させて張り出しをなくして便宜をはかるのである。
図１５〜図１７の右上がりの傾斜位置は、キャスター機能を利用する際に可動させた時の取付け部（２８Ａ−１）と支持杆（２８Ｂ−１）の関係を断面図で示している。
図１５〜図１７の右上がりの傾斜位置は、停止位置でもある。
【００４３】
支持杆差し込み受け部（２８Ａ−５）とそこに差し込まれた支持杆（２８Ｂ−１）の可動部接合孔（２８Ｂ−３）と取付け部（２８Ａ−１）の可動部接合孔（２８Ａ−３）を合わせ、可動部接合ビス（３０）を差込み、これを軸として支持杆（２８Ｂ−１）を回動させる。
図１６は、支持杆差し込み受け部（２８Ａ−５）の庇状部分に支持杆（２８Ｂ−１）が当接する状態の説明図である。
この場合、図１６左図（ア）のように下げた状態から上げた状態迄動けば問題ない。
しかし、図１６左図（ア）のようにきっちりと接合する実施態様では、実際の回動では、支持杆（２８Ｂ−１）と支持杆差し込み受け部（２８Ａ−５）の一部が、それぞれの本体支持杆、可動部接合孔（２８Ａ−３）（２８Ｂ−３）をきっちりと接しているので（接！部）図面上では問題は出てこないのだが、実際の使用に際してはその接による摩擦負荷で上下可動がややスムーズに行われない製品の発生余地がある。
【００４４】
そこで、図１６右図（イ）のように支持杆（２８Ｂ−１）と支持杆差し込み受け部（２８Ａ−５）の間に小さな隙間を設けて上下可動時の摩擦負荷を軽減するのだが、その構造上、上げた時に支持杆（２８Ｂ−１）の一部が線状接触で支持杆差し込み受け部（２８Ａ−５）の角にあたり、支持杆（２８Ｂ−１）の一部に線接触で加重されるので図中※部で支持杆（２８Ｂ−１）が破断し易くなる。
【００４５】
そこで図１７の実施例のように支持杆（２８Ｂ−１）に段差調整突起（２８Ｂ−４）を設けると、支持杆（２８Ｂ−１）と支持杆差し込み受け部（２８Ａ−５）の両パーツの隙間を埋めるので、面接触となり、図１６右図（イ）の問題を解決出来る。
また、引き手部（２８）を出してキャスター機能を使いキャディバッグを牽引するときには、キャディバッグが傾く分の角度を引き手部分で調整し補わないと支点が下がり過ぎて使い難い物に成る。
厳密に角度の指定は無いが、使用に際しての必要な角度は、図１７で示すように、引き手部（２８）の傾斜する角度ｘ度は、ｘ度＞９０°になる。
【００４６】
引き手部（２８）は口枠部（８）に取付けられるが、その使用で考えられる状況は次の様な事である。
自宅から自家用車又は待ち合わせ場所等の移動手段迄や、移動手段を降りてからゴルフ場や練習場の受付近く迄や、練習場の自打席までの比較的短い距離である。
【００４７】
このプレイ前の状況ではキャディバッグ（１）にフード（１０）を装着している。
図７（ア）は、フード（１０）を装着して、また、牽引している図であり、ある程度の高さがある位置で引き手部（２８）を握って、移動させるスタイルを表している。
また、フード（１０）を装着せずに、外して、牽引する事も稀にではあるが考えられる。
【００４８】
図７（イ）は、牽引している時の口枠部（８）（９）と口枠部取付け式引き手部（２８）とショートアイアンクラブ（１５）と引き手部（２８）を握っている使用者の手（３１）の関係を表しており、さらに詳細を見ていくと、
図７（ア）はフード（１０）を装着している場合で、不具合は特にない状況。
図７（イ）はフード（１０）を装着していない場合の例で、引き手部（２８）の寸法や角度が不適正で手が当たっている状況。
図７（ウ）はフード（１０）を装着していない場合で、手が当たらないように引き手部（２８）を長めと適性角度に構成して、不具合を解消した状況。
をそれぞれ図示している。
【００４９】
図７（イ）の例は、短すぎる引き手部のため、フード（１０）を装着していないで露出したショートアイアンクラブ（１５）に使用者の手（３１）が当たっている。
この様な状況の原因は、口枠トップ（９）の縁からショートアイアンクラブ（１５）が平均して８０〜９０ｍｍ程度外に出ているのに、引き手部（２８）の寸法や角度が不適正である為である。
図７（ウ）はフード（１０）を装着していない場合でも、図７（イ）の不具合を解消した図であり、引き手部（２８）の角度が適性で、又引き手部（２８）が適正な長さがあるときは、円内拡大図のように不具合が解消されることを示している。
【００５０】
上述の内容からショートアイアンクラブ（１５）の飛び出し寸法より引き手部（２８）が長ければ良いのであるが、あまり長すぎるとキャディバッグとの距離が大きくなり牽引時のバランスが悪くなる。
実施例１では、ベストな長さは可動接合ビス（３０）から握り部（２８Ｂ−２）がある支持杆（２８Ｂ−１）の端迄で１５０ｍｍの長さとした。
【００５１】
この長さは、９０〜２００ｍｍの長さでも可能であり、長さを限定するものではない。
【００５２】
上記範囲の寸法であれば最短の９０ｍｍでも不具合はなくなり、取付け部（２８Ａ−１）の厚み２０〜３０ｍｍと合わせるとショートアイアンクラブ（１５）の飛び出し寸法を十分カバー出来る。
【００５３】
図５において、破線で表現した引き手部最長（３２）は、後述するように支持杆（２８Ｂ−１）を伸縮自在にした場合の引き手部最長（３２）でもある。
口枠部（８）の幅をはみ出しているが、引き手部（２８）、支持杆（２８Ｂ−１）を最長で設定した場合には破線で表現した引き手部最長（３２）でもよい。
常時、引き手部最長（３２）の寸法で延ばした状態だと、背袋表生地（２７）の上に支持杆（２８Ｂ−１）や握り部（２８Ｂ−２）が大きく懸かる事になり、使用に際しても不具合が生じる。
そこで、支持杆（２８Ｂ−１）を伸縮自在の伸縮式にする構成では、最長の長さで設定していた場合でも未使用時の短縮状態を選択しておけば、背袋表生地（２７）上に支持杆（２８Ｂ−１）や握り部（２８Ｂ−２）が大きく懸かる事が無くなる。
伸縮式では、手の甲にクラブが当たることはより少なくなる。
【実施例２】
【００５４】
実施例２は、図５に示すもので、引き手部（２８）の支持杆（２８Ｂ−１）を伸縮自在な構成としたキャディバッグである。この支持杆（２８Ｂ−１）を伸縮自在にする構成は、後述の実施例３，実施例４にも応用できる。
【実施例３】
【００５５】
実施例３は、図８、図１１〜図１５、に示すもので、口枠部（８）の側面に凹室を形成してその内部に実施例１と同様な構造の引き手部（２８）を設けたキャディバッグである。
実施例３における引き手部（２８）は、口枠部（８）の幅内に収まる長さになる。凹室を形成する場合、円筒形収納部（４）の内部空間にあまり影響がない構造であることが大切である。
支持杆（２８Ｂ−１）を伸縮式構造にすると、収納時短く、取り出して傾斜位置ではある程度延ばした長さで使用できる。
【実施例４】
【００５６】
実施例４は、図９の概略概念図のように実施例３の変形例で、口枠部（２８）の側面に凹室を形成してその内部に略口状の引き手部（２８）を軸支したもので、軸部も握り部として使用できる構造である。
２個所の握り部を有する引き手部（２８）になる。
【実施例５】
【００５７】
実施例５は、図示していないが、キャスターのないキャディバッグに、実施例１〜実施例４の引き手部（２８）を設けたキャディバッグになる。
キャスター付きのキャディバッグではないので、傾斜して牽引して使用するものではないが、サブグリップとして、上方に持ち上げるときや傾けるときにメイングリップと一緒に持ってより安全に使用することができる。
サブグリップ機能は、キャスター無しのスタイルのキャディバッグにおいてもたいへん有効である。
各実施例の引き手部（２８）は、物掛けや、すこしの移動時に便利なサブグリップとして使える。
【００５８】
さて、口枠部（８）に取付けられた引き手部（２８）が可動式な場合は、図２０（ア）（イ）のように、キャディバッグの引き手部（２８）の可動にすべき角度と、停止する角度範囲は、重要な特徴のひとつである。
図２０（ア）は引き手部（２８）を１８０度の可動範囲に設計したものである。
図２０（ア）は、ある程度の長さをもって構成する場合では手の甲が当接することもなく、１８０度の可動範囲での取付けでも使用に支障のない構造となる。
但し、あまり長くない引き手部（２８）では、傾斜して停止する角度範囲は、図中の小丸模様の範囲（水平位置から上方へ９０度の範囲）が好ましい。
図２０（イ）は図１１で示す取付け部（２８Ａ−１）を上下逆に取付けたものであり、引き手部（２８）が水平位置から上方へ９０度可動にしたものである。
この図２０（ア）（イ）は、図中小丸模様記入の角度範囲のいずれかの角度で停止する構造が、特徴であることを示している。
図２０（ウ）は、固定型の引き手部（２８）で、水平位置から上方へ９０度の範囲のうちのいずれかの角度で固定したものであることを表した説明図である。
【００５９】
いずれも、水平位置から上方へ９０度の範囲において、引き手部（２８）の傾斜した停止位置があることが特徴である。
キャディバッグ口枠トップ（９）を０°、口枠ハチマキ（３３）を１８０°として、握り部（２８Ｂ−２）へ繋がる支持杆（２８Ｂ−１）の伸び角度は９０°以内での所定角度で停止する構造であるということになる。
【産業上の利用可能性】
【００６０】
本考案は、ゴルフのキャディバッグの引き手部に関するものであるが、重量のある縦長で高さのあるバッグや容器であれば、強度に優れた引き手部として利用することが可能である。
【図面の簡単な説明】
【００６１】
【図１】従来型のキャディバッグで、側面図とフードを外した斜視図である。
【図２】従来型の伸縮式の牽引手段を装置したキャスター付きキャディバッグで、側面図とフードを外した斜視図（図２−ａ）と従来型のキャスター付きキャディバッグ使用スタイル（図２−ｂ）。
【図３】本考案に係るキャスター付きキャディバッグの実施例１を示すもので、引き手部を立ち起こした状態で、側面図とフードを外した斜視図である。
【図４】本考案に係るキャディバッグの実施例１を示すもので、引き手部を下方に折った状態での、側面図とフードを外した斜視図である。
【図５】本考案に係るフード装着したキャスター付きキャディバッグの実施例２を示すもので、長い引き手部、又は引き手部の支持杆を伸縮自在な構成として点線で示す最長延伸状態を示すもので、引き手部側から見た正面図である。
【図６】本考案に係るキャスター付きキャディバッグの実施例１・実施例２において、傾斜して引き手部を持つ使用状態を示すものである。
【図７】引き手部の使用状態を説明するもので、フードを装着していない場合や、引き手部の長さが十分でない場合や、角度が無制限である場合の使用における不具合の説明図と改良した引き手部の説明図である。図７（ア）はフードを装着して傾斜状態で引っ張っている場合で、とくに不具合がない状態図。図７（イ）は、フードを装着していない場合で引き手部の角度が大きすぎるか或いは引き手部が短い場合の不具合を示す説明図。図７（ウ）は、フードを装着していない場合でも引き手部の角度が適性で又引き手部が長さがあるように改良した実施例で、拡大図のように不具合が解消されることを示している。
【図８】本考案に係るキャディバッグの実施例３を示すもので、口枠部の側面に凹室を形成してその内部に実施例１と同様な構造の引き手部を設けたもの一部正面図である。
【図９】本考案に係るキャディバッグの実施例４を示すもので、口枠部の側面に凹室を形成してその内部に平面視で口状の引き手部を上方握り部を軸支して可動に設けたものの一部正面図である。
【図１０】一般的にキャディバッグに収納するゴルフ用品の説明斜視図である。
【図１１】引き手部（取付け部と握り部）の全体斜視図である。
【図１２】引き手部のジョイント部を示す一部斜視図。
【図１３】取付け部の正面図、側面図、平面図。
【図１４】引き手部の握り部の正面図、側面図、平面図。
【図１５】引き手部の回動状態を説明するもので、引き手部の可動を説明する側面図。
【図１６】図１５の引き手部の可動部において、支持杆差し込み受け部と支持杆の接触による不具合を示す断面図。図１６（ア）は接触し過ぎる場合で摩擦負荷が大きく不具合が生じる説明図、図１６（イ）は間隙をおいた場合に衝撃点（局所的負荷）が発生する不具合を説明する比較図面である。
【図１７】本考案に係るキャディバッグの実施例１〜実施例４で採用されるもので、支持杆差し込み受け部と引き手部の支持杆の関係を示す説明図。間隔をおいて接触を少なくしながら衝撃点を衝撃面に変えて耐久性を向上している説明図である。
【図１８】メイングリップのみが付いたキャディバッグを持つときのスタイルを表す状態図
【図１９】本考案に係るキャディバッグを持ち上げるときに採用できる持ち方を表すスタイル。
【図２０】本考案に係るキャディバッグの引き手部の少なくとも位置すべき角度表示を示したもので、図２０（ア）は１８０度の可動範囲、図２０（イ）は取付け部を逆に取付けたもので水平位置から上方へ９０度の可動範囲、図２０（ウ）は、固定型の引き手部で、水平位置から上方へ９０度の範囲に位置する固定式のものを表した説明図である。いずれもその位置で固定されることを表している。
【符号の説明】
【００６２】
１          キャディバッグ
２          正面側収納部
３          背面側収納部
４          円筒形収納部
５          底巻き
６          樹脂製底材
７          メイングリップ
８          口枠部
９          口枠トップ
１０        フード
１１        フードマチ
１２        引き手部用切り欠き
１３        ドライバークラブ
１４        ロングアイアンクラブ
１５        ショートアイアンクラブ
１６        使用ボール、予備ボール、ティー等
１７        シューズ袋
１８        レインウエアー
１９        把持テープ
２０        底部（キャスター付き樹脂製底材）
２１        キャスター
２２ａ      従来のキャディバッグの支持杆取付け部（上側）
２２ｂ      従来のキャディバッグの支持杆取付け部（下側）
２３        従来のキャディバッグの支持杆収納筒部
２４        従来のキャディバッグの支持杆
２５        従来のキャディバッグの取手握り部
２６        従来のキャディバッグの支持杆用貫通孔
２７        背袋表生地面
２８        引き手部（口枠部取付式）
２８Ａ−１  取付け部
２８Ａ−２  取付け用穴
２８Ａ−３  支持杆の可動部接合孔（本体側）
２８Ａ−４  支持杆差し込み受け部  
２８Ａ−５  支持杆差し込み受け部の断面
２８Ａ−６  ロゴ取付け溝
２８Ｂ−１  支持杆
２８Ｂ−２  握り部
２８Ｂ−３  支持杆の可動部接合孔（支持杆側）
２８Ｂ−４  段差調整突起
２９        取付けビス
３０        可動部接合ビス
３１        使用者の手
３２        引き手部最長
３３        口枠ハチマキ
線状加重部
【図１】
0003149795.tif 000003
【図２】
0003149795.tif 000004
【図３】
0003149795.tif 000005
【図４】
0003149795.tif 000006
【図５】
0003149795.tif 000007
【図６】
0003149795.tif 000008
【図７】
0003149795.tif 000009
【図８】
0003149795.tif 000010
【図９】
0003149795.tif 000011
【図１０】
0003149795.tif 000012
【図１１】
0003149795.tif 000013
【図１２】
0003149795.tif 000014
【図１３】
0003149795.tif 000015
【図１４】
0003149795.tif 000016
【図１５】
0003149795.tif 000017
【図１６】
0003149795.tif 000018
【図１７】
0003149795.tif 000019
【図１８】
0003149795.tif 000020
【図１９】
0003149795.tif 000021
【図２０】
0003149795.tif 000022
【手続補正書】
【提出日】平成21年1月29日(2009.1.29)
【手続補正１】
【補正対象書類名】実用新案登録請求の範囲
【補正対象項目名】請求項１
【補正方法】変更
【補正の内容】
【請求項１】
キャディバッグのメイングリップの反対側になる口枠部の側面に、水平方向の握り部を備えた硬質材からなる引き手部を受け部に軸支して可動に或は前記側面に水平位置から上方へ９０度の範囲の角度で固定した引き手部をビスにより固定して設けたことを特徴とするキャディバッグ。
【手続補正２】
【補正対象書類名】実用新案登録請求の範囲
【補正対象項目名】請求項２
【補正方法】変更
【補正の内容】
【請求項２】
底部にキャスターを設けるとともにそのキャスターの取付け側に背面側収納部が設けられたキャスター付きのキャディバッグにおいて、キャスターの取付け側の上方で口枠部の側面に引き手部を受け部に軸支して可動に或は前記側面に水平位置から上方へ９０度の範囲の角度で固定した引き手部をビスにより固定して設けたことを特徴とするキャディバッグ。
【手続補正３】
【補正対象書類名】明細書
【補正対象項目名】００１９
【補正方法】変更
【補正の内容】
【００１９】ここに本考案はキャディバッグにおけるメイングリップの反対側になる口枠部の側面に、水平方向の握り部を備えた硬質材からなる引き手部を受け部に軸支して可動に或は前記側面に水平位置から上方へ９０度の範囲のうちのいずれかの角度で固定した引き手部をビスにより固定して設けたことを特徴とするキャディバッグを提案する。口枠部は、一見目立つ個所であり、かつ堅牢な口枠部に引き手部を設けることは、デザイン的に又接合構造的に課題が多いためか、口枠部の側面に引き手部を設けた前例はない。